(57)【要約】【課題】本発明は主に携帯電話等に用いられる小型電気音響変換器に関するものであり、能率（出力音圧）の向上を図るものである。【解決手段】本発明の電気音響変換器は、プロテクター７ｂの縁立て７ｃをフレーム１ｂに被せるように固着し、このプロテクター７ｂの縁立て７ｃの内壁と若干の間隙５ａが設けられるところまで振動板４ａを拡大して構成したものである。この構成とすることで振動板４ａの有効振動面積の大面積化を可能にし、高能率（出力音圧の向上）を図った電気音響変換器の提供を可能とするものである。【選択図】図１
2005079806.tif 000002
【特許請求の範囲】
【請求項１】
フレームと、このフレームの略中央部に装着された磁気回路と、この磁気回路の磁気ギャップに挿入されるボイスコイルの上端と結合された振動板と前記振動板または前記ボイスコイルと前記フレーム間を橋絡し、前記振動板と、前記ボイスコイルで構成される振動部を支持するサスペンションと、前記振動板を覆い前記フレームとで外部筐体を形成するプロテクターとで構成され、前記振動板外周と前記外部筐体の内壁との間に微小の間隙を設けた電気音響変換器であって、
前記プロテクター外周に縁立て部を形成し、この縁立て部をフレーム外周に被せるように装着し、前記縁立て部の内壁と前記振動板外周間に微小の間隙を設けた電気音響変換器。
【請求項２】
振動板外周部にリブを形成した請求項１記載の電気音響変換器。
【発明の詳細な説明】
【技術分野】
【０００１】
本発明は音声・音楽・発信音などの音を再生する機能を有する映像音響機器をはじめとする各種機器に用いられる電気音響変換器に関するものである。
【背景技術】
【０００２】
従来の電気音響変換器について、図３により説明する。
【０００３】
図３は従来の電話器などに使用される小型の電気音響変換器の断面図である。同図において、１はフレーム縁立て１ａを有する樹脂成形品からなるフレーム、２は磁気ギャップ２ａを設けたプレート２ｂ、マグネット２ｃ、ヨーク２ｄからなる磁気回路、３はボイスコイル、４は振動板、５は間隙、６はサスペンション、７はプロテクターである。
【０００４】
外周部にフレーム縁立て１ａを有するフレーム１の中央に磁気回路２に接着結合し、前記磁気回路２の磁気ギャップ２ａ中に接触しないようにボイスコイル３の一端側を挿入し、他端に振動板４を接着固着し、この振動板４の外周部側面と前記フレーム１外周部のフレーム縁立て１ａ内周部側面との間に微小な間隙５を設けて前記振動板４を位置決めできるようにボイスコイル３とフレーム１間にサスペンション６を設け、振動板４およびボイスコイル３で構成される振動部を支持させている。
【０００５】
さらに振動板４前面を保護するためにプロテクター７をフレーム１の縁立て１ａ外周に被せ固着した構成としたものである。
【０００６】
ボイスコイル３に流れる駆動電流により、このボイスコイル３がピストン運動し、結合された振動板４が振動し、音波が放射されるものである。この時、振動板４の前面および背面の両方から互いに１８０度位相の異なる音が放射され、背面の音は間隙５を通り、前面の音と干渉しようとする。その干渉を防止するために間隙５の幅を狭くしたり、高さを大きくしたりする方法で間隙５における音響抵抗を大きくし、前面の音と背面の音が互いに間隙５を通過し難くする事で振動板４の前面の音のみがプロテクター７の複数の放射穴７ａを通り外部へ放射される。
【０００７】
なお、この出願の発明に関連する振動板４とフレーム１間に微小間隔を設ける構成のスピーカの先行技術文献情報としては、例えば、特許文献１が知られている。
【特許文献１】実開昭５８−８２０９４号公報
【発明の開示】
【発明が解決しようとする課題】
【０００８】
しかしながら、上記従来の電気音響変換器は樹脂成形品からなるフレーム１と振動板４の外周部側面で間隙５を構成するため、振動板の有効振動面積を大きくしようとした場合、フレームの樹脂成形に必要な材厚を確保すると、この種電気音響変換器のような樹脂成形のフレームを使用した直径φ２０ｍｍ以下の小口径な電気音響変換器では、相対的にフレーム縁立ての厚みが厚くなり、低能率（出力音圧の低下）となってしまうという課題を有するものであった。
【０００９】
本発明は、上記課題を解決するもので、限られた口径の中で最大に有効振動面積を広く取り、能率（出力音圧）の高い電気音響変換器を提供しようとするものである。
【課題を解決するための手段】
【００１０】
上記課題を解決するために、本発明の電気音響変換器の請求項１に記載の発明は、プロテクター外周に縁立てを形成し、この縁立て部をフレーム外周に被せるように装着し、前記縁立ての内壁と前記振動板外周間に微小の間隙を設けたことによって、振動板をフレーム外周と略同一の大きさとすることができ、振動板の有効面積を拡大して同口径の電気音響変換器より能率（出力音圧）の高い電気音響変換器の提供を可能とするものである。
【００１１】
また、本発明の電気音響変換器の請求項２に記載の発明は、振動板外周部にリブを形成したため、振動板の外周を補強して振動板の有効面積の増大を図ると共に、振動板外周とプロテクター外周の縁立ての内壁との間隙間の音響抵抗を増大させて振動板前後の干渉を更に抑制し、電気音響変換器の音圧周波数特性の向上が図れるものである。
【発明の効果】
【００１２】
以上のように、本発明の電気音響変換器は、振動板の有効振動面積を大きくすることができ、同口径の電気音響変換器と比較して能率（出力音圧）の大きな電気音響変換器を提供することができるものである。
【発明を実施するための最良の形態】
【００１３】
以下、本発明の実施の形態を図１〜図２により説明する。なお、説明にあたっては背景技術で述べた従来技術と同一部分には同一番号を付与し、説明を省略して説明する。
【００１４】
（実施の形態１）
本発明の請求項１に記載の電気音響変換器の発明を、図１を用いて説明する。図１は本発明の第１の実施の形態における電気音響変換器の断面図である。
【００１５】
同図により背景技術で述べた従来技術との相違点について説明すると、７ｂは金属薄板よりなるプロテクターであり、７ｃはその外周に形成された縁立て、７ｄは複数個設けられた放射穴であり、１ｂは樹脂成形製のフレーム、２は磁気回路、２ａは磁気ギャップ、３はボイスコイル、４ａは振動板、５ａは間隙、６はサスペンションである。
【００１６】
プロテクター７ｂの外周部の縁立て７ｃ部分を被せるようにしてフレーム１ｂに固着して外部筐体を形成している。振動板４ａの外周部側面は前記縁立て７ｃ内周部側面との間隙５ａが０．０５〜０．２ｍｍ程度となるように設定されている。
【００１７】
前述の構成により、本実施の形態の電気音響変換器は、ボイスコイル３に流れる駆動電流により、このボイスコイル３がピストン運動し、結合された振動板４ａが振動し、音波が放射されるものである。
【００１８】
この時、振動板４ａの前面および背面の両方から互いに１８０度位相の異なる音が放射され、背面の音は間隙５ａを通り、前面の音と干渉しようとする。その干渉を防止するために間隙５ａの幅を狭くしたり、高さを大きくしたりする方法で間隙５ａにおける音響抵抗を大きくし、前面の音と背面の音が互いに間隙５ａを通過し難くする事で振動板４ａの前面の音のみがプロテクター７ｂの複数の放射穴７ｄを通り外部へ放射される。
【００１９】
なお、実験値的には口径２０ｍｍ程度の電気音響変換器においては、間隙５ａの幅を０．０５〜０．２ｍｍの範囲内に設定することが妥当である。
【００２０】
以上のように構成した電気音響変換器においては、振動板４ａの径をプロテクター７ｂの縁立て７ｃの内壁の近傍（フレーム１ｂの外周）程度まで拡大できるので、同口径の電気音響変換器と比較して能率（出力音圧）の向上を図った電気音響変換器の提供を可能としている。
【００２１】
なお、本実施の形態ではサスペンション６の位置をボイスコイル３とフレーム１ｂ間に設けるとしたが、振動板４ａとフレーム１ｂ間に設けても良い。
【００２２】
（実施の形態２）
本発明の請求項２に記載の電気音響変換器を図２を用いて説明する。図２は本発明の他の実施の形態における電気音響変換器の断面図である。図２における他の実施の形態の電気音響変換器は、振動板４ｂの外周部にリブ４ｃを設けることで、振動板４ｂの機械的強度を増し、間隙５ａの音響抵抗を大きくして背面音と前面音が干渉する度合いを更に少なくし、更なる周波数特性の改善を図ることができるものである。
【産業上の利用可能性】
【００２３】
本発明にかかる電気音響変換器は振動板の有効面積を増大させ、同口径でより能率（出力音圧）の向上したスピーカの提供を可能とし、各種電子機器や各種装置等の小型のスピーカ用として使用できるものである。
【図面の簡単な説明】
【００２４】
【図１】本発明の一実施の形態の電気音響変換器の断面図
【図２】本発明の他の実施の形態の電気音響変換器の断面図
【図３】従来の電気音響変換器の断面図
【符号の説明】
【００２５】
１ｂ  フレーム
２  磁気回路
２ａ  磁気ギャップ
３  ボイスコイル
４ａ，４ｂ  振動板
４ｃ  リブ
５ａ  間隙
６  サスペンション
７ｂ  プロテクター
【図１】
2005079806.tif 000003
【図２】
2005079806.tif 000004
【図３】
2005079806.tif 000005